(57)【要約】【課題】ＬＥＤ基板を使用し、冷凍庫若しくは冷蔵庫内で使用することができる照明器具を提供する。【解決手段】一端を光開放した筐体と、該筐体に配置された少なくとも２個のＬＥＤ基板と、該ＬＥＤ基板に実装された複数のＬＥＤ素子から照射される光を前記筐体の光開放側に反射する反射板と、からなる照明器具であって、前記ＬＥＤ基板を、少なくとも２個の電源装置によって夫々別個に直列接続し、少なくとも２個のスイッチ素子によって外部電源と夫々接続自在とする。【選択図】        図１
0003161929.tif 000002
【実用新案登録請求の範囲】
【請求項１】
冷凍庫若しくは冷蔵庫内で使用され、一端を光開放した筐体と、該筐体に配置された少なくとも２個のＬＥＤ基板と、該ＬＥＤ基板に実装された複数のＬＥＤ素子から照射される光を前記筐体の光開放側に反射する反射板と、からなる照明器具であって、前記ＬＥＤ基板を、少なくとも２個の電源装置によって夫々別個に直列接続し、この２個の電源装置と外部電源とを少なくとも２個のスイッチ素子によって夫々接続自在に構成したことを特徴とする照明器具。
【請求項２】
前記照明器具を、少なくとも２個の電源装置によって複数接続し、少なくとも２個のスイッチ素子によって外部電源と夫々接続自在に構成したことを特徴とする請求項１に記載の照明器具。
【考案の詳細な説明】
【技術分野】
【０００１】
本考案は、照明器具であって、とくにＬＥＤを使用し冷蔵庫若しくは冷凍庫内で使用される照明器具に関するものである。
【背景技術】
【０００２】
従来、冷蔵庫若しくは冷凍庫内を照明する灯具には、蛍光ランプが光源として用いられてきた。とくに、大型の冷凍庫施設においては、天井までの高さが高く、設置した蛍光ランプでは十分な光量が得られず施設内での作業に支障があるものであった。しかも施設内では常時蛍光ランプを点灯させるため、ランプの維持に多大の経費がかかるものであった。
【０００３】
近年、消費電力が少なく、また発熱が少ない光源として、発光ダイオードを使用する照明装置が紹介され、多数の製品が提案されている。
【０００４】
例えば、冷蔵庫内を照明する照明技術が提案されている（特許文献１参照。）。また、発光ダイオード複数個をライン状に基板に取り付け合成樹脂で被覆し半円形の筒状に成形した照明器具もある（特許文献２参照。）。
【先行技術文献】
【特許文献】
【０００５】
【特許文献１】特開Ｈ１１−１５９９５３号公報
【特許文献２】実用新案登録第３１４２７１９号公報
【考案の概要】
【考案が解決しようとする課題】
【０００６】
上記特許文献１に提案されている技術は、可視光線領域内にある波長の光線のみを発光する半導体発光素子を断熱板を介して金属基板に実装するものであり、保存物の表面温度を上昇させないので鮮度よく保存することができ、更に実装基板に伝導した熱が、断熱板によって遮蔽されて冷蔵庫の内部に戻らず、冷蔵庫の内部温度の上昇を抑制するものであるが、構造が複雑であると同時に、専用の冷蔵庫内壁を必要とするものであった。また、特許文献２に記載された照明器具は、蛍光灯型のＬＥＤ灯を提供するものであり、蛍光灯と比較して。消費電力を低減できるものであるが、冷凍庫内で常時点灯させる場合の効果的な電力軽減手段に関しては何らの対策もないものであった。
【０００７】
上記の問題点に鑑み本発明者らは、消費電力の少ないＬＥＤ素子を複数実装した基板を光源として採用し、充分な光量を確保できると共に、冷凍庫内で常時点灯させるために必要とされる維持経費を低減できる照明器具を提供するに至った。
【課題を解決するための手段】
【０００８】
本考案の照明器具は、冷凍庫若しくは冷蔵庫内で使用され、一端を光開放した筐体と、該筐体に配置された少なくとも２個のＬＥＤ基板と、該ＬＥＤ基板に実装された複数のＬＥＤ素子から照射される光を前記筐体の光開放側に反射する反射板と、からなる照明器具であって、前記ＬＥＤ基板を、少なくとも２個の電源装置によって夫々別個に直列接続し、少なくとも２個のスイッチ素子によって外部電源と夫々接続自在とすることを特徴とする。
【０００９】
また、前記照明器具を、少なくとも２個の電源装置によって複数接続し、少なくとも２個のスイッチ素子によって外部電源と夫々接続自在に構成したことを特徴とする。
【考案の効果】
【００１０】
本考案に係る照明器具によれば、筐体に配置された少なくとも２個のＬＥＤ基板と、該ＬＥＤ基板に実装された複数のＬＥＤ素子から照射される光を前記筐体の光開放側に反射する反射板とからなり、大型の冷凍施設であっても、十分な光量が得られ、冷凍施設内での作業効率を向上できるという効果を有する。
【００１１】
また、照明器具本体内のＬＥＤ基板を、少なくとも２個の電源装置によって夫々別個に直列接続し、少なくとも２個のスイッチ素子によって外部電源と夫々接続できるため、冷凍庫内での作業を必要としない時間帯はスイッチ素子によって１個の電源装置によって直列接続させる構成とし、１個のＬＥＤ基板から発光させることができるという効果を有する。
【図面の簡単な説明】
【００１２】
【図１】本考案に係る照明器具の一実施例を示す説明図である。
【図２】本考案に係る照明器具の使用状態を示す斜視図である。
【図３】本考案の照明器具の接続図である。
【考案を実施するための最良の形態】
【００１３】
以下、本考案を実施例を示す図面を参照しながら説明するが、本考案が本実施例に限定されないことは言うまでもない。図１は、本考案の照明器具の一実施例を示す説明図であり、図１（ａ）は正面説明図、図１（ｂ）は底面説明図、図１（ｃ）は側面説明図、図２は本考案に係る照明器具の使用状態を示す斜視図、図３は本考案の照明器具の接続図である。
【実施例】
【００１４】
図１及び図２に示すように、本考案の照明器具１は、一端側に光開放部２を形成した鋼製箱体３と、この箱体３内の底部４に着脱可能に取付けられる２枚の矩形ＬＥＤ基板５、５と、このＬＥＤ基板５の周囲から開口部２方向に拡径して取り付けられた反射板６と、２枚のＬＥＤ基板５、５と夫々別個に接続しＬＥＤ素子７を発光させる電源装置（図示せず）と、から構成され、箱体３の上面に設けられた取付金具９を介して冷凍庫の天井部材１０に取付けられる。
【００１５】
図１に示すように、箱体３は正面視台形に成形されており、上面中央には取付金具９が取り付けられ、また下面には縁部１１が形成されており、この縁部１１にポリカーボネート板１２がボルト１３によって取り付けられる。そして、箱体３の両側面中央には孔部１４が穿設されており、ゴムブッシュ（図示せず）を介して、電源ケーブル１５がそれぞれ投入される。
【００１６】
ＬＥＤ基板５は、アルミ製の基板本体に絶縁体を介して回路が形成され、さらにＬＥＤ素子７が表面に実装されている。そして、ＬＥＤ基板５には上述した電源ケーブル１５が取り付けられ、電源装置（図示せず）より電力を供給を受ける。
【００１７】
反射板６はアルミ製で、その表面に高純度のチタン及びシリコンをコーティングし反射率が９０％以上とされた鏡面板であり、ＬＥＤ基板５から照射される光を効率よく反射して光開放部２から照射する。
【００１８】
図３は、本考案の照明器具１を複数接続する際の電気接続図を示しており、本実施例においては６個の照明器具１を接続する場合を例とする。図に示すように、６個の照明器具１には夫々２個のＬＥＤ基板５が備えられており、電源ケーブル１５によって夫々２個の電源装置１６、１６と別個に接続可能とされている。そして、この２個の電源装置１６、１６は夫々２個のスイッチ素子１７、１７を介して外部電源１８と接続する。
【００１９】
この構成からなる、本考案の照明器具１は、２個のスイッチ素子１７、１７をＯＮ（通電）の状態とすると、６個の照明器具１のＬＥＤ基板５は全て点灯する。そして、スイッチ素子１７の一方をＯＦＦ（切電）の状態とすると、６個の照明器具１の一方側のＬＥＤ基板５のみが全て点灯する。すなわち冷凍庫内での作業を行なう際にはスイッチ素子１７を全てＯＮの状態にして、作業に必要な光量を確保を可能とし、また作業を必要としない通常時には、スイッチ素子１７の一方をＯＦＦとして、照明器具１の半分の光量とすることができる。
【００２０】
以上、本考案の照明器具によれば、複数のＬＥＤ素子を実装したＬＥＤ基板を使用したため、消費電力が少なく、しかもＬＥＤ基板を、少なくとも２個の電源装置によって夫々別個に直列接続し、この２個の電源装置と外部電源とを少なくとも２個のスイッチ素子によって夫々接続自在に構成したため、必要に応じて光量を調節できる。
【符号の説明】
【００２１】
１              照明器具
２              光開放部
３              箱体
４              底部
５              ＬＥＤ基板
６              反射板
７              ＬＥＤ素子
８              電源装置
９              取付金具
１０              天井部材
１１              縁部
１２              ポリカーボネート板
１３              ボルト
１４              孔部
１５              電源ケーブル
１６              電源装置
１７              スイッチ素子
１８              外部電源
【図１】
0003161929.tif 000003
【図２】
0003161929.tif 000004
【図３】
0003161929.tif 000005